(57)【要約】【課題】本発明は、簡単な構造で、枠体を箱体本体に取り付ける時に枠体取り付け金具が変形しにくい電気機器収納用箱体の枠体取り付け構造を提供することを目的としている。【解決手段】本発明に係る電気機器収納用箱体の枠体取り付け構造は、箱体本体には枠体取り付け金具を立設し、枠体取り付け金具は枠体を固定するための固定穴を設けると共に、配線覆いを支持する覆い立てを取り付け、枠体取り付け金具の覆い立てが取り付けられる部分周縁には補強部を形成し、枠体取り付け金具に枠体をねじ締めした時、枠体取り付け金具が変形しないことを特徴とする。【選択図】図１
2007060799.tif 000002
【特許請求の範囲】
【請求項１】
前面に開口を有する箱体本体と、前記開口周縁部に取り付けられる枠体と、前記開口を施蓋する配線覆いや扉体とから構成される各種電気機器等を収納するための電気機器収納用箱体の枠体取り付け構造において、前記箱体本体には枠体取り付け金具を立設し、該枠体取り付け金具には前記枠体を固定するための固定穴を設けると共に、前記配線覆いを支持する覆い立てを取り付け、前記枠体取り付け金具の前記覆い立てが取り付けられる部分周縁には補強部を形成し、前記枠体取り付け金具に前記枠体をねじ締めした時、前記枠体取り付け金具が変形しないことを特徴とする電気機器収納用箱体の枠体取り付け構造。
【発明の詳細な説明】
【技術分野】
【０００１】
本発明は、前面に開口を有する箱体本体と、開口周縁部に取り付けられる枠体と、開口を施蓋する配線覆いや扉体とから構成される各種電気機器等を収納するための電気機器収納用箱体の枠体取り付け構造に関するものである。
【背景技術】
【０００２】
図５〜図６に示すように、従来箱体本体３１には枠体取り付け金具３２を設け、枠体取り付け金具３２には覆い立て３３をねじ止めにより固定していた。枠体取り付け金具３２には枠体３４を、覆い立て３３には配線覆い３４を取り付けていた。箱体本体３１に電気機器等を収納し、枠体３４と枠体取り付け金具３２のねじ穴３５にねじ３６を挿通し締め付け、箱体本体３１に枠体３４を固定していた。
【非特許文献１】２００５カワムラ総合カタログ電設資材編  平成１７年５月１日発行
【発明の開示】
【発明が解決しようとする課題】
【０００３】
しかしながら、上記従来技術では、箱体本体３１に枠体３４を取り付けるためにねじ３６を締め付けていくと、枠体取り付け金具３２が、ねじ３６を締め付ける方向とは逆側に引っ張られると共に、枠体取り付け金具３２に固定されている配線覆い３４の覆い立て３３も引っ張られ、配線覆い３４が箱体本体３１に収められた電気機器類から離れて、配線覆い３４と電気機器との間に隙間が開いてしまうという不具合が発生していた。配線覆い３４と電気機器類との間に隙間ができると、塵埃が侵入したり、誤って電気機器類に触れてしまう虞があるため、隙間をふさぐ手段が必要があった。
【課題を解決するための手段】
【０００４】
そこで本発明は、簡単な構造で、枠体を箱体本体に取り付ける時に枠体取り付け金具が変形しにくい電気機器収納用箱体の枠体取り付け構造を提供することを目的とし、その構造は、箱体本体には枠体取り付け金具を立設し、枠体取り付け金具には枠体を固定するための固定穴を設けると共に、配線覆いを支持する覆い立てを取り付け、枠体取り付け金具の覆い立てが取り付けられる部分周縁には補強部を形成し、枠体取り付け金具に枠体をねじ締めした時、枠体取り付け金具が変形しないことを特徴とする。
【発明の効果】
【０００５】
本発明に係る電気機器収納用箱体の枠体取り付け構造は、箱体本体には枠体取り付け金具を立設し、枠体取り付け金具には枠体を固定するための固定穴を設けると共に、配線覆いを支持する覆い立てを取り付け、枠体取り付け金具の前記覆い立てが取り付けられる部分周縁には補強部を形成し、枠体取り付け金具に枠体をねじ締めした時、枠体取り付け金具が変形しないことを特徴とするため、配線覆いが箱体本体に収めた電気機器から離れていかないようになり、配線覆いと電気機器との間の隙間もできなくなり、配線覆いと電気機器との間の隙間からの塵埃の侵入や、電気機器類への接触もなくなると共に、美観も損なわれない。
【発明を実施するための最良の形態】
【０００６】
枠体を箱体本体に取り付ける時に枠体取り付け金具が変形しにくい電気機器収納用箱体の枠体取り付け構造を提供するという目的を、最小の部品点数で、施工方法は変更せずに実現した。
【実施例１】
【０００７】
本発明に係る電気機器収納用箱体の枠体取り付け構造の実施例を図１〜図２の添付図面に基づいて説明する。
【０００８】
電気機器収納用箱体１は、前面に開口２を有し、各種電気機器を載置する箱体本体３と、箱体本体３の開口２周縁に取り付けられる枠体４とから構成され、機器は配線覆い５で被覆し、箱体本体３の開口２を扉体で施蓋する。
【０００９】
箱体本体３には枠体取り付け金具６を立設する。枠体取り付け金具６は、本体取り付け部６ａと枠体固定部６ｂとを形成し、枠体固定部６ｂには枠体４を固定するために固定穴７を設ける。本体取り付け部６ａには補強部６ｃを延設する。
【００１０】
枠体４には、枠体取り付け金具６の固定穴７に対向する位置に螺子挿通孔８が設けられ、枠体取り付け金具６に枠体４を当接し、固定穴７と螺子挿通孔８にそれぞれねじ９を挿通し、締め付け枠体４を枠体取り付け金具３に固定する。枠体取り付け金具３には、覆い立て１０を取り付ける。覆い立て１０には配線覆い５を取り付け、箱体本体３に収められた機器の配線を被覆する。
【００１１】
枠体取り付け金具６には補強部６ｃが設けられているため、ねじ９を締め付けた場合に、枠体固定部６ｂのみが上方に引っ張られ、覆い立て１０が取り付けられている枠体取り付け金具３の他の部分が変形することがなく、覆い立て１０が箱体本体３の底面に対して垂直に立つため、配線覆い５と機器との間に隙間ができず、安全な電気機器収納用箱体１が提供できる。
【実施例２】
【００１２】
本発明に係る電気機器収納用箱体の枠体取り付け構造において、箱体本体に設けられる枠体取り付け金具は図２に示す形状に限定されるものではなく、図３に示すように、枠体取り付け金具１１は本体取り付け部１１ａと補強部１１ｂとを絞り加工により形成することも可能である。
【実施例３】
【００１３】
また、枠体取り付け金具１２の補強部１２ａは図４に示すように、枠体固定部１２ｂの側部全体に設け、補強度を向上させることもできる。
【産業上の利用可能性】
【００１４】
電気機器収納用箱体の枠体を固定するための枠体取り付け金具に補強部を設けることにより、枠体を箱体本体にねじ締めにより固定する時、枠体取り付け金具がねじ締めの力により変形することがなく、枠体取り付け金具に取り付けられている配線覆い立ても変位しないので配線覆いが箱体に対してまっすぐに取り付けられ、配線覆いと機器との間に隙間が開かないようになるため、塵埃の侵入や電気機器類への接触を防止でき、安全な電気機器収納用箱体が提供できる。
【図面の簡単な説明】
【００１５】
【図１】本発明に係る電気機器収納用箱体の枠体取り付け構造を示す断面図である。（実施例１）
【図２】図１における枠体取り付け金具の拡大図である。（実施例１）
【図３】本発明に係る電気機器収納用箱体の枠体取り付け構造における枠体取り付け金具を示す斜視図である。（実施例２）
【図４】本発明に係る電気機器収納用箱体の枠体取り付け構造における枠体取り付け金具を示す斜視図である。（実施例３）
【図５】従来の電気機器収納用箱体の枠体取り付け構造を示す説明図である。
【図６】図５における電気機器収納用箱体の枠体取り付け構造における枠体取り付け金具を示す斜視図である。
【符号の説明】
【００１６】
１      電気機器収納用箱体
２      開口
３      箱体本体
４      枠体
５      配線覆い
６      枠体取り付け金具
６ａ    本体取り付け部
６ｂ    枠体固定部
６ｃ    補強部
７      固定穴
８      螺子挿通孔
９      ねじ
１０    覆い立て
１１    枠体取り付け金具
１１ａ  本体取り付け部
１１ｂ  補強部
１２    枠体取り付け金具
１２ａ  補強部
１２ｂ  枠体取り付け部
【図１】
2007060799.tif 000003
【図２】
2007060799.tif 000004
【図３】
2007060799.tif 000005
【図４】
2007060799.tif 000006
【図５】
2007060799.tif 000007
【図６】
2007060799.tif 000008